(57)【要約】【課題】ユーザーが所有を忘れたり、落としたりすることが少なく確実にセキュリティー制御を実行しえる携帯式セキュリティー制御装置を提供すると共に、エマージェンシー事態が発生した場合でも、セキュリティー制御を実行しえる携帯式セキュリティー制御装置を提供する。【解決手段】計時手段２、計時情報表示手段３、電源手段４、少なくと予め定められた制御信号を送信する制御信号送信手段５とを有する腕時計１であって、当該制御信号送信手段５は、当該腕時計１とは別体に構成され、特定の機能を発揮する対象機器１０に搭載されている当該対象機器１０に於ける当該特定機能の稼動状態若しくは非稼動状態の何れかを選択的に指定するセキュリティー制御手段１１を制御するための制御信号を出力する様に構成されている鍵機能付き腕時計１。【選択図】　　　図１
2004100346.tif 000002
【特許請求の範囲】
【請求項１】
計時手段、計時情報表示手段、電源手段、少なくと予め定められた制御信号を送信する制御信号送信手段とを有する腕時計であって、当該制御信号送信手段は、当該腕時計とは別体に構成され、特定の機能を発揮する対象機器に搭載されている当該特定機能の稼動状態若しくは非稼動状態の何れかを選択的に指定するセキュリティー制御手段を制御するための制御信号を出力する様に構成されている事を特徴とする鍵機能付き腕時計。
【請求項２】
当該対象機器は、電気機器、電子機器、ドア、トランク、エンジンイグニッション部等を含む車両、航空機等の部品或いは、金庫、家具、建物等の開閉部材から選択された一つである事を特徴とする請求項１に記載の鍵機能付き腕時計。
【請求項３】
当該制御信号は、当該制御信号を受信した当該対象機器のセキュリティー制御手段が、当該対象機器の特定の機能に対するセキュリティー上体を解除して、当該対象機器の特定の機能を実行可能な状態にする信号である事を特徴とする請求項１又は２に記載の鍵機能付き腕時計。
【請求項４】
当該腕時計に於ける当該制御信号送信手段は、予め定められた特定の当該制御信号を、予め定められた特定のタイミングで常時発信する様に構成されている事を特徴とする請求項１乃至３の何れかに記載の鍵機能付き腕時計。
【請求項５】
当該腕時計に於ける当該制御信号送信手段は、当該対象機器に於ける制御信号送信手段から送信される制御信号を受信出来る受信回路を有している事を特徴とする請求項１乃至４の何れかに記載の鍵機能付き腕時計。
【請求項６】
当該腕時計に於ける当該制御信号送受信手段は、当該対象機器の当該制御信号送信手段から送信されて来た当該制御信号を当該腕時計内に設けたデータ記憶手段内に記憶されている制御データと一致するか否かを判断して、一致する場合には、当該制御信号送受信手段から当該制御信号と同一の信号を当該対象機器に送信して当該セキュリティー制御手段のセキュリティー状態を解除させる様に構成されている請求項５に記載の鍵機能付き腕時計。
【請求項７】
当該腕時計は、更に物理的に構成された鍵部が設けられている事を特徴とする請求項１乃至６の何れかに記載の鍵機能付き腕時計。
【請求項８】
当該物理的構成からなる当該鍵部は、通常は当該腕時計の本体内部に収納されており、使用時に当該腕時計の本体内部から外部に突出せしめられる様に構成されている事を特徴とする請求項７に記載の鍵機能付き腕時計。
【請求項９】
当該物理的鍵部は、当該対象機器に設けられた施錠手段に設けられている鍵穴部に嵌合して、当該対象機器の特定の機能をマニュアル的に実行させる機能を有するものである事を特徴とする請求項７または８に記載の鍵機能付き腕時計。
【請求項１０】
当該物理的鍵部は、その少なくとも一部が当該腕時計の本体部若しくは当該腕時計に付随する部材と非分離状態で接合されている事を特徴とする請求項７乃至９の何れかに記載の鍵機能付き腕時計。
【請求項１１】
当該物理的鍵部は、当該腕時計のバンドの一部に設けられている事を特徴とする請求項１０に記載の鍵機能付き腕時計。
【請求項１２】
当該物理的鍵部は、当該腕時計の本体部内にその自由端部が挿入格納されていると共に、当該鍵部の接合端部は、当該腕時計のバンドの端部で当該腕時計本体部との係合端部に接合されている事を特徴とする請求項１１に記載の鍵機能付き腕時計。
【請求項１３】
当該物理的鍵部の接合端部と当該バンド部の端部は、当該バンド部の当該腕時計本体部との接合における接合機構として機能するものである事を特徴とする請求項１２に記載の鍵機能付き腕時計。
【請求項１４】
当該物理的構成からなる当該物理的鍵部が当該腕時計の本体内部から外部に突出せしめられた場合には、当該制御信号送受信手段の送信機能が停止せしめられる様に構成されている事を特徴とする請求項８に記載の鍵機能付き腕時計。
【請求項１５】
計時手段、計時情報表示手段、電源手段、少なくと予め定められた制御信号を送信すると共に外部から送信されてきた制御信号を受信し得る制御信号送受信手段とを有する腕時計と、当該腕時計とは別体に構成された特定の機能を発揮する対象機器であって、外部から所定の制御信号を受信し且つ受信した制御信号に対して制御信号を発信する受送信手段と、当該受信した所定の制御信号に基づいて当該対象機器に於ける当該特定機能の稼動状態若しくは非稼動状態を制御するセキュリティー制御手段とを有する対象機器とから構成されており、当該対象機器側の受送信手段が、当該腕時計から送信された特定の制御信号の受信を認識した場合に、当該セキュリティー制御手段が当該対象機器の特定機能に対するセキュリティー状態を解除する様に構成されている事を特徴とする腕時計を使用したセキュリティー制御システム。
【請求項１６】
当該対象機器は、電気機器、電子機器、ドア、トランク、イグニッション部等を含む車両部品或いは、金庫、家具、建物等の開閉部材から選択された一つである事を特徴とする請求項１５に記載のセキュリティー制御システム。
【請求項１７】
当該腕時計の送受信手段から当該制御信号を常時所定のタイミングで出力送信しておき、当該対象機器側の受送信手段に於いて、当該腕時計からの当該制御信号を受信し、当該セキュリティー制御手段が当該腕時計が該対象機器に近接していることを認識した後、当該セキュリティー制御手段が当該対象機器の特定機能に対するセキュリティー状態を解除する様に構成されている事を特徴とする請求項１５又は１６に記載のセキュリティー制御システム。
【請求項１８】
当該対象機器の当該セキュリティー制御手段に於ける、当該腕時計が当該対象機器側に近接したか否かの判断は、当該受送信手段に於ける当該第１の制御信号の受信電圧レベルに基づいて判断する様に構成されている事を特徴とする請求項１７に記載のセキュリティー制御システム。
【請求項１９】
当該腕時計には、更に物理的に構成された鍵部が設けられている事を特徴とする請求項１５乃至１８の何れかに記載のセキュリティー制御システム。
【請求項２０】
当該物理的構成からなる当該鍵部は、通常は当該腕時計の本体内部に収納されており、使用時に当該腕時計の本体内部から外部に突出せしめられる様に構成されている事を特徴とする請求項１５乃至１９の何れかに記載のセキュリティー制御システム。
【請求項２１】
当該物理的鍵部は、当該対象機器に設けられた施錠部材の鍵穴部に嵌合して、当該対象機器の特定の機能をマニュアル的に実行させる機能を有するものである事を特徴とする請求項１５乃至２０の何れかに記載のセキュリティー制御システム。
【請求項２２】
当該物理的鍵部は、その少なくとも一部が当該腕時計の本体部若しくは当該腕時計に付随する部材と非分離状態で接合されている事を特徴とする請求項請求項１５乃至２０の何れかに記載のセキュリティー制御システム。
【請求項２３】
当該物理的鍵部は、当該腕時計のバンドの一部に設けられている事を特徴とする請求項２１に記載のセキュリティー制御システム。
【請求項２４】
当該物理的鍵部は、当該腕時計の本体部内にその自由端部が挿入格納されていると共に、当該鍵部の接合端部は、当該腕時計のバンドの端部で当該腕時計本体部との係合端部に接合されている事を特徴とする請求項２３に記載のセキュリティー制御システム。
【請求項２５】
当該物理的鍵部の接合端部と当該バンド部の端部は、当該バンド部の当該腕時計本体部との接合における接合機構として機能するものである事を特徴とする請求項２４に記載のセキュリティー制御システム。
【発明の詳細な説明】
【０００１】
【発明の属する技術分野】
本発明は、鍵機能付き腕時計に関するものであり、更には、腕時計を使用した所定の対象機器に於ける特定の機能に対するセキュリティー制御を行うセキュリティー制御システムに関するものである。
【０００２】
【従来の技術】
【特許文献１】特許第２９３１２７６号公報
【特許文献２】特開平７−２１２６４号公報
【特許文献３】特開平７−３２４９９号公報
従来より、特定の対象機器の特定の機能を実行する場合、例えば、車両のドア部、窓部或いはトランク部等或いは、建物、家具類、金庫等の窓部或いは扉部を開閉させる操作を実行する場合には、一般には、当該機器に特定の施錠機構が設けられており、当該施錠機構を当該施錠機構に適合されている鍵部を使用して人間がマニュアル操作を行って開閉動作を行わせている。
【０００３】
つまり、従来では、物理的な構造を持った鍵部が一般的に使用されていたが、近年では、かかる物理的な鍵部に代わって無線通信技術と暗号技術を利用して遠隔非接触の状態で上記した各特定機器の特定機能をセキュリティーを考慮しながら操作する制御方法が実用化されてきている。
【０００４】
又、パソコンを含めた電気機器類、或いは電子機器類は、第３者の不正使用、或いは誤操作更には盗難を防止する為に、電源のオン・オフを物理的な鍵部を使用したり、遠隔非接触の状態で実行させたり、或いは，使用者のＩＤ番号を併用するなど様々なセキュリティー対策を実現してきている。
【０００５】
例えば、特許第２９３１２７６号公報（
【特許文献１】）には、携帯電話の盗難を防止する為に、当該携帯電話の使用者が、カードで構成された識別信号送信器を別途携帯し、当該携帯電話と当該カードとの間で予め定めた特定の識別コードを含む信号を相互に通信し合い、双方で当該識別コードが確認出来た場合に当該携帯電話に設けられている使用制限解除ユニットを解除して当該携帯電話を使用可能な状態に切り替え、それ以外の場合には、当該携帯電話は使用不可能な状態に設定しておくことによって、当該携帯電話が盗難にあっても第３者に当該携帯電話を使用される心配が無いように構成された技術が開示されている。
【０００６】
又、特開平７−２１２６４号公報（
【特許文献２】）には、無線式ドアロック制御装置に関して記載されており、物理的な構成からなるキープレートと予め定められた制御信号を送信する送信手段とが一体化された鍵部と、当該物理的な構成からなるキープレートを受け入れるキーシリンダ部に当該鍵部から送信されてきた当該制御信号を受信し且つ予め当該キーシリンダ部に記憶されている制御信号と比較して一致していれば、ドアロックを解除する様に構成されているセキュリティー制御機構とが設けられており、それによって、無線を利用した遠隔非接触式のドアロック制御装置を開示すると同時に、当該キープレートが当該キーシリンダ部に挿入されている場合には、遠隔操作によるドアロック操作が禁止される様に構成されており、使用者が意図していないドア開閉操作が実行される事を防止する方法が開示されている。
【０００７】
一方、特開平７−３２４９９号公報（
【特許文献３】）には、車両の鍵部の施錠及び解錠を遠隔的に且つ非接触状態で行うシステムに関して記載されており、車両側の制御装置には、所定の識別コード及び所定の暗号情報を記憶する記憶手段と当該識別コードを送信する第１の送信手段と携帯側の制御装置から送信される暗号情報を受信する受信手段及び受信した暗号情報を記憶手段に記憶された暗号情報と比較する手段並び当該鍵部の施錠・解錠を実行する施解錠手段とが設けられており、一方、携帯側の制御装置には、所定の識別コード及び所定の暗号情報を記憶する記憶手段と当該車両側の制御装置から送信される識別コードを受信する受信手段並びに当該受信された識別コードを記憶手段に記憶された識別コードと照合する手段、及び当該車両側の制御装置に対して暗号情報を送信する送信手段とから構成されており、車両側からの発信するリクエスト信号を基に双方間で情報の交換を行って双方の識別コード情報が一致した事を確認した段階で鍵を解錠する様に構成したシステムが開示されている。
【０００８】
【発明が解決しようとする課題】
処で、上記したような従来技術に於いては、何れもそれぞれのシステムに使用されている一対の制御装置のそれぞれに設けられている送信機及び又は受信機を駆動するバッテリー等の電源が正常機能している場合を前提として、非接触で且つ遠隔地点から所定の機能を実現或いは実行させる様に特定のシステムが構築されているものであって、万一、少なくとも一方の制御装置の電源であるバッテリ―等の電圧が規定レベル以下に低下した場合、或いは、それぞれの制御装置に於ける特定の回路或いは配線等が何らかの原因によって故障若しくは破断した場合には、当該所定の機能を実現させたり実行させることが困難となってしまうと言う問題があった。
【０００９】
又、上記した様な制御装置における電源の問題とは別に、当該所定の対象機器に於けるセキュリティー制御装置に当該所定の機能を実現させたり或いは実行させるために、当該所定のセキュリティー制御装置に対して、特定の認識信号や制御信号を送信する機能を有するカード、送信回路付きキー或いは携帯電話等を携行する必要があるが、それらの携行を忘れてしまうことが多く、その場合もユーザーがその制御装置における所定の機能を実現させたり実行させることが困難となってしまうと言う問題があった。
【００１０】
本発明の目的は上記従来に於ける欠点を解決し、当該所定の対象機器に於ける所定のセキュリティー制御装置に当該所定の機能を実現させたり或いは実行させるために、当該所定の対象機器のセキュリティー制御装置に対して、特定の制御信号を送信する機能を有する携帯式の制御機器に於いて電源がなくなった場合でも、ユーザーがその制御装置における所定の機能を実現させたり実行させることを可能とすると共に、ユーザーが当該携帯式の制御機器の携行を忘れることが少ない構成とする事によって、上記した欠点を解消する事が出来る鍵機能付き腕時計及び腕時計を使用したセキュリティー制御システムを提供するものである。
【００１１】
【課題を解決するための手段】
本発明は上記した目的を達成する為、以下に示す様な基本的な技術構成を採用するものである。即ち、本発明に於ける第１の態様としては、計時手段、計時情報表示手段、電源手段、少なくと予め定められた制御信号を送信する制御信号送信手段とを有する腕時計であって、当該制御信号送信手段は、当該腕時計とは別体に構成され、特定の機能を発揮する対象機器に搭載されている当該対象機器に於ける当該特定機能の稼動状態若しくは非稼動状態の何れかを選択的に指定するセキュリティー制御手段を制御するための制御信号を出力する様に構成されている事を特徴とする鍵機能付き腕時計であり、又、本発明に於ける第２の態様としては、計時手段、計時情報表示手段、電源手段、少なくと予め定められた制御信号を送信すると共に外部から送信されてきた確認信号を受信し得る制御信号送受信手段とを有する腕時計と、当該腕時計とは別体に構成された特定の機能を発揮する対象機器であって、外部から所定の制御信号を受信し且つ受信した制御信号に対して確認のための制御信号を発信する受送信手段と、当該受信した所定の制御信号に基づいて当該対象機器に於ける当該特定機能の稼動状態若しくは非稼動状態を制御するセキュリティー制御手段とを有する対象機器とから構成されており、当該対象機器側の受送信手段が、当該腕時計から送信された特定の制御信号の受信を認識した場合に、当該セキュリティー制御手段が当該対象機器の特定機能に対するセキュリティー状態を解除する様に構成されている腕時計を使用したセキュリティー制御システムである。
【００１２】
又、本発明の当該腕時計は、物理的に構成された鍵部が設けられた鍵機能付腕時計である。
【００１３】
【発明の実施の形態】
本発明にかかる鍵機能付き腕時計及び腕時計を使用したセキュリティー制御システムは、上記した様な技術構成を採用しているので、所定の制御装置に於ける所望の機能を実行させるため、ユーザーが使用する携帯式の制御装置の電源が低下したり、電源がなくなってしまった場合でも、又、何らかの原因で所望の機能を実行する側の制御機構、制御回路等が機能しない場合であっても、当該腕時計に付随して設けられている物理的な鍵部を使用することによって、当該所望の機能を実行する側の所定の制御装置を実行させることが可能となる。
【００１４】
又、ユーザーが使用する携帯式の制御装置として腕時計を採用したので、一般的に、ユーザーは、外出の際、車両のキー、携帯電話、カード類を所持する事を忘れてしまったり、外出中に、落としてしまうか、何処かに置き忘れてしまうことが多いが、腕時計に関しては、ユーザーが外出の際、めったに腕時計を携行することを忘れることは無く、又、外出中も腕時計を落としてしまうか、何処かに置き忘れてしまうことは、めったに無いので、上記した従来での問題が発生することは確実に回避することが可能である。
【００１５】
従って、本発明に於いては、ユーザーが常時身に付けている腕時計を所定の対象機器における特定の機能を実行させる際のセキュリティー制御装置として使用するものであるので、所持を忘れたり、紛失したりして、第３者に、所定の対象機器におけるセキュリティーがかけられている特定の機能に関して不正使用されてしまうとか悪用される危険が殆ど無いという効果がある他、当該腕時計に物理的な鍵部を更に付加しておく事によって、仮に、当該腕時計或いは対象機器の電源が不足若しくは完全に無くなってしまった場合でも、当該物理的鍵を使用して、当該対象機器に於ける、特定の機能を制御する物理的機構からなる鍵機構をマニュアル的に操作させる事により、エマージェンシー対応が可能となる。
【００１６】
【実施例】
以下に、本発明に係る第１の態様である、鍵機能付き腕時計の一具体例の構成を図面を参照しながら詳細に説明する。
【００１７】
即ち、図１は、本発明に係る鍵機能付き腕時計１の一具体例の構造を示す図であって、図中、計時手段２、計時情報表示手段３、電源手段４、少なくと予め定められた制御信号を送信する制御信号送信手段５とを有する腕時計１であって、当該制御信号送信手段５は、当該腕時計１とは別体に構成され、特定の機能を発揮する対象機器１０に搭載されている当該対象機器１０に於ける当該特定機能の稼動状態若しくは非稼動状態の何れかを選択的に指定するセキュリティー制御手段１１を制御するための制御信号を出力する様に構成されている鍵機能付き腕時計１が示されている。
【００１８】
本発明に於ける鍵機能付き腕時計１は、アナログ式の腕時計であっても良く、又、デジタル式の腕時計であっても良い。
【００１９】
一方、本発明にあっては、当該対象機器１０は、電気機器、パソコン等の通信機能を持つ機器を含む電子機器１０−１、ドア、トランク、イグニッション部等を含む車両部品１０−２、或いは、金庫、家具、建物等の開閉部材１０−３等及びこれ等に類似する機器を含むものである事が好ましい。
【００２０】
そして、本発明に於ける当該対象機器１０に於ける当該特定機能としては、例えば、電気機器、パソコン等の通信機能を持つ機器を含む電子機器１０−１の場合では、当該電気機器或いは電子機器のオンーオフ操作を行う鍵機能の制御、つまりキュリティー制御であり、又、パソコン等の通信機能を持つ機器を含む電子機器に於いては、上記のセキュリティー制御に加えて、使用者が予め登録されたユーザーであるか否の判断と当該使用者が予め登録されたユーザーでない場合には、当該パソコン等の通信機能を有する電子機器を非駆動の状態に維持する様にする鍵機能の発揮、つまりセキュリティー機能を発揮させるものであり、又、当該対象機器１０が自動車、鉄道車両、航空機等に於けるドア、トランク、エンジンイグニッション部等を含む車両部品１０−２の場合には、当該特定機能としては、例えばそれらの部品を開くか或いは閉鎖するか、若しくは駆動させるか非駆動の状態にさせるかの操作を実行させるものであり、或いは、当該対象機器１０が金庫、家具、建物等の開閉部材１０―３等である場合には、金庫、家具、建物等の開閉部材である鍵部の解錠及び閉錠を含んでいる事が好ましい。
【００２１】
即ち、本発明に於いては、ユーザーが常時身に付けている腕時計１をセキュリティー機能を有する携帯型の制御装置として利用するものであって、それによって、上記した様な作用効果を得る事が可能となるのである。
【００２２】
制御信号送信手段５から当該対象機器１０に対して送信される当該制御信号は、当該制御信号を受信した当該対象機器１０のセキュリティー制御手段１１が、当該対象機器１０の特定のセキュリティー機能を解除して、当該対象機器１０の特定の機能を実行可能な状態にする信号である事が好ましい。
【００２３】
尚、本発明に於いては、当該制御信号は、当該制御信号を受信した当該対象機器１０のセキュリティー制御手段１１が、当該対象機器１０の特定のセキュリティー機能を駆動させて、当該対象機器１０の特定の機能の実行を停止させる状態にする信号であっても良い事は言うまでもない。
【００２４】
此処で、本発明における当該鍵機能付き腕時計１を使用した対象機器の特定の機能の実行に対するセキュリティーシステムの一具体例の構成を図２乃至図４を参照しながら詳細に説明する。
【００２５】
即ち、図２の（Ａ）は、図１に示す本発明で使用される鍵機能付き腕時計１に於ける制御機構部の拡大ブロック図であり、計時手段２、計時情報表示手段３、電源手段４、少なくと予め定められた制御信号を送信すると共に、後述する様に対象機器１０から送信される確認のための制御信号（ＡＣＫ）を受信するアンテナ部８を含む制御信号送受信手段５、所定の制御プログラム或いは、制御データ、確認コード、自己及び制御対象機器の認証データ等を記憶する記憶手段７、及び当該計時手段２を含む腕時計１のそれぞれの手段或いは回路を制御すると共に、受信した当該対象機器からの情報と当該記憶手段に予め記憶されている当該対象機器に関する認証コードと比較して一致するか否かを判断段する機能を含むマイコン等から構成される演算制御手段６とを有するものである。
【００２６】
更に、本発明に於ける腕時計１においては、当該腕時計１がユーザーによって使用されているか否かを検出するためのセンサー手段１４、必要に応じてブザー、チャイム等の適宜の警報情報を報知する報知手段１５、或いは、当該腕時計１に於ける特定の機能の実行を制御したり実行モードを変更したりするためのプッシュボタン１２等が設けられているものであっても良い。
【００２７】
一方、図２の（Ｂ）は、対象機器１０に設けられている、当該対象機器１０の特定の機能の駆動、非駆動を制御するセキュリティー制御手段１１の構成の一例を示すブロックダイアグラムであって、当該腕時計１から送信されてくる制御信号を受信すると同時に、当該腕時計１に対して所定の確認のための制御信号（ＡＣＫ）を送信するアンテナ部２８を含む受送信手段２５、電源手段２４、所定の制御プログラム或いは、制御データ、確認コード、自己及び当該腕時計の認証データ等を記憶する記憶手段２７、当該対象機器１０に於ける所定の機能を実行させるための手段３０、例えば、自動車のドアを開閉させる鍵部をオンーオフさせるスイッチ手段３０及び当該対象機器１０のそれぞれの手段或いは回路を制御すると共に、受信した当該腕時計１からの情報と当該記憶手段２７に予め記憶されている当該腕時計１に関する認証コードと比較して一致するか否かを判断段する機能を含むマイコン等から構成される演算制御手段２６とを有するものである。
【００２８】
図３は、上記した様な腕時計１と対象機器１０との間に於ける腕時計を使用したセキュリティー制御システムの通信手順の一例を示す図である。
【００２９】
即ち、先ず、当該腕時計１に於ける当該制御信号送信手段５からは、予め定められた特定の当該制御信号（第１の制御信号）を、予め定められた特定のタイミングで常時発信する。
【００３０】
つまり、腕時計１側から所定の間隔、例えば０．２秒毎に、当該対象機器１０に対して第１の制御信号を発信する。
【００３１】
この第１の制御信号は、当該対象機器１０側に於いて、特定の腕時計１が対象機器１０から所定の近接領域範囲内に入って来たか否かを判断するために使用されるものであり、余り大量の情報を発信する必要は無い。
【００３２】
例えば、当該腕時計１と当該対象機器１０との間で簡便に識別しえるような認識コードを双方で決定して、それぞれの記憶手段に記憶させておき、当該腕時計１が送信した当該第１の制御信号を当該対象機器１０側で受信した後、当該対象機器の記憶手段２７に記憶されている認識コードと比較判断し、双方が一致した場合には、所定の腕時計１が当該対象機器１０に制御信号を送信しているものと判断する様に構成しておく。
【００３３】
更に、当該対象機器１０に於いては、当該腕時計１が予め定められた近接距離領域内に入ってきたか否かを判断する様に構成されており、例えば、当該腕時計１が当該対象機器１０の半径２ｍ以内の領域内に入ってきたか否かを同時に判断する様に構成するものである。
【００３４】
かかる判断は、当該対象機器１０側に於いて、例えば、当該腕時計１からの受信電波の電圧レベルを検出する事によって容易に判断することが可能である。
【００３５】
例えば、当該基準電圧レベルを所定の記憶手段２７に記憶させておき、受信信号の電圧レベルと当該基準電圧レベルとを当該制御演算手段２６に於いて比較演算処理して当該受信信号の電圧レベルが当該基準電圧レベルよりも高い場合に、当該腕時計１が当該対象機器１０の所定の近接領域内に入ってきたと判断する様に構成しておく。
【００３６】
尚、本発明に於いて使用される当該第１の制御信号は、送信する信号情報に於ける１乃至数ビットのスタートビット信号を使用するもので有ってもよく、又、Ｍ系列符号を使用して構成された短い信号であっても良い。
【００３７】
次いで、当該対象機器１０側に於いて、対応する腕時計１が所定の近接領域内に入ってきたと判断した場合には、当該対象機器１０は、例えば、上記したように一致が確認されたＭ系列符号からなる第１の制御信号と、例えば、当該対象機器１０と当該腕時計１との間で予め定められた第２の制御信号を構成する特定のＩＤ情報とを合体させた第３の制御信号を作成して当該対象機器１０の受送信手段２５から当該腕時計１に対して発信する。
【００３８】
当該第２の制御信号を構成する当該特定のＩＤ情報もＭ系列符号で構成したものであっても良い。
【００３９】
その後、当該腕時計１側に於いては、当該対象機器１０から送信されてきた第３の制御信号を受信すると、当該受信された第３の制御信号を構成する当該第１と第２の制御信号のそれぞれと当該腕時計１の記憶手段７に記憶されている当該第１の制御信号情報及び第２の制御信号とが何れも一致したと判断した場合には、当該第１と第２の制御信号を合体した第３の制御信号を当該対象機器１０に向けて再送信し、その信号情報が、当該対象機器１０側で再確認できた場合に、当該対象機器１０と当該腕時計１との間でハンドシェイク一が確立される。
【００４０】
その結果、当該対象機器１０の所定の機能、例えば、車両のドアのロックを解錠させるためのスイッチ３０が作動して当該車両のドアのロックが開放される様に構成されている。
【００４１】
その後は、当該腕時計１と、当該対象機器１０との間で、所定の間隔（第２の間隔）で常時、ハンドシェイクを維持する為の当該第１と第２の制御信号を合体させた第３の制御信号の受信、発信が繰り返されるものである。
【００４２】
かかるハンドシェイクを維持の為の当該第２の所定の間隔は、前記した第１の間隔よりも長く設定されるものである事が好ましく、例えば、２秒間隔で実行される様に構成しておくものである。
【００４３】
かかる通信間隔の二段階設定は、消費電力化に有効であり、当該腕時計１が当該所定の対象機器１０に接近したか否かの判断を行う間は、頻繁に通信処理を実行し、当該腕時計１の接近が確認された後は、通信頻度を低下させても、当該対象機器１０に於ける所定の機能を実行指せる為には実質的に問題が無い。
【００４４】
その後、当該腕時計１と当該対象機器１０との間の上記相互通信が予め定められた時間以上途絶えた場合には、当該腕時計１が当該対象機器１０の所定の近接領域を離脱したものと判断して、当該対象機器１０の当該特定機能の実行を停止させてセキュリティー状態に入る事になる。
【００４５】
即ち、本発明に於いては、当該腕時計１における当該制御信号送信手段５は、当該セキュリティー制御手段１１から送信されて来た当該制御信号を当該腕時計１内に設けたデータ記憶手段７の記憶データと一致するか否かを判断して、一致する場合には、当該制御信号送信手段５から当該制御信号と同一の信号を当該対象機器１０に送信して当該セキュリティー制御手段１１のセキュリティー解除を実行させる様に構成されているものである。
【００４６】
つまり、上記の具体例では、当該腕時計１が当該車両から所定の距離離れた場合には、当該車両のドアの鍵を制御するスイッチ手段３０がオフとなり当該ドアの鍵が閉錠して当該鍵にロックがかかる事になる。
【００４７】
本発明に於いて、例えば、当該対象機器１０がパソコンである場合には、当該パソコンの電源をオンーオフするスイッチ３０を、認識コードを共有する当該腕時計１を所有するユーザーが当該パソコンの前に座った場合に当該スイッチ３０がオン状態となり、当該パソコン１０が使用可能な状態となる様に構成する事によって、当該パソコンのセキュリティーを確保することが出来る。
【００４８】
又、当該対象機器１０が建物のドアを開閉する鍵である場合には、上記具体例と同様に、当該ドアの鍵の電源をオンーオフするスイッチ３０を、認識コードを共有する当該腕時計１を所有するユーザーが当該ドアの前に立った場合に当該スイッチ３０がオン状態となり、当該ドアの鍵が解錠されて使用可能な状態となる様に構成するものである。
【００４９】
本発明に於いて、上記した第１の制御信号及び第２の制御信号をＭ系列符号で構成する事の目的は、通信するデータ量を減らし、送受信に掛かる時間を少なくして、消電を抑える事にある。
【００５０】
即ち、スペクトラム拡散通信技術により、互いに取り決めた特定の符号系列データを送受信し、通信対象機器とハンドシェイクを行う。符号系列としては例えばＭ系列を使用し、キーと対のロック側それぞれが同一のＭ系列符号を送受信することで、互いに相手を認識することが可能になる。Ｍ系列符号はビット数が少ない物を使用するため、通信データ量は少ない。また、符号の特性として乱数に非常に近いため、信号であることが第三者に判別することが難しく、秘匿性が高い。
【００５１】
その結果、通信データ量が少なくて済むため、通信に掛かる時間が少なく、よって消電が低減できる。
【００５２】
又、本発明に於いて、腕時計１及び又は対象機器１０の電源を長時間有効に維持する為の他の具体例としては、通信を実行する時間を予め設定するためのタイマー設定することも望ましい。
即ち、不要時には通信を行わないようにして、消費電力を抑えるものであって、具体的には、腕時計１内にプログラムによる通信を行う時間を予め設定するものである。
【００５３】
例えば、図４に示す様に、ある会社員が勤務先のドアの入退室に使う用途の場合、夕方１７：００から朝８：００にかけてと、土曜と日曜は勤務先に行く必要が無いため、予め腕時計のタイマー設定により、この時間帯は通信を行わない休止モードに移行させるようにする。
【００５４】
なお、休日出勤など、通信機能が必要な時は、ボタン１２を操作する事によって休止モードから抜ける。
【００５５】
本発明に於いては、上記の様に構成する事によって、予め通信不要な時間帯を休止モードに設定することで、毎日特に操作しなくても、不必要な時は通信を停止させることが出来るので、消費電力を抑えられる。
【００５６】
上記目的を達成する為のその他の具体例としては、通信を実行する場合のＯＮ操作をセンサにて行う様に構成するものであっても良い。
【００５７】
つまり、不要時には通信を行わないようにし、消費電力を抑えるものであって、具体的には、当該腕時計１内にセンサを内蔵しており、使用者が腕時計を腕に装着して活動している時をセンサが感知し、使用者活動中は定期的に上記した通信操作を双方で行う様に構成するものであり、使用者が就寝時や机に置いている時など、腕時計が腕に装着されていない時はセンサからの信号が得られないため、通信は行わない様に構成しておくことが望ましい。
【００５８】
本発明に於ける当該センサの具体例としては、例えば、加速度センサ、振動センサ等が使用可能である。
【００５９】
上記具体例に於いては、使用者が特に意識しなくても、通信不要時に通信を停止させることが出来るため、消費電力を抑えられる。
【００６０】
次に、本発明に於ける別の具体例を図５乃至図７を参照しながら詳細に説明する。
【００６１】
図５は、図１に示されている本発明に於ける腕時計１の裏側の構造を説明する図であり、図中、当該腕時計１は、更に物理的に構成された物理的鍵部４０が設けられている鍵機能付き腕時計１が示されている。
【００６２】
本発明に於いて使用される当該物理的鍵部４０は、通常の鍵と同じ形式の鍵であって、当該対象機器１０の特定の機能を実現させるために使用される制御手段を通信手段により制御する代わりに、当該物理的鍵部４０を使用してユーザーがマニュアル的に操作する事によって、当該特定の機能を実現させるものである。
【００６３】
例えば、当該対象機器１０が自動車のドア部であって、特定の機能が、施錠されている当該ドアの鍵を解錠するものである場合に、当該ドア部に上記した様な通信システムによる解錠操作とは別に、物理的な解錠・施錠機構を内蔵する鍵部挿入部を持ったロック部材を設け、当該鍵部に挿入されて当該解錠・施錠機構に合致する機構を持った物理的鍵部を当該鍵部挿入部に挿入して、当該ドアのロックを解錠させる様に構成するものである。
【００６４】
本発明に於ける当該物理的構成からなる当該鍵部４０は、通常は当該腕時計１の本体内部に収納されており、上記した様なエマージェンシーの際、つまり当該腕時計１若しくは当該対象機器１０の何れかの電源が使用不可能となり通信システムを介したセキュリティーシステムが実行不可能となった場合に、当該腕時計１の本体内部から外部に突出せしめられる様に構成されている事が望ましい。
【００６５】
図５（Ａ）の具体例では、当該物理的鍵部４０は、当該腕時計１の本体内部に摺動可能に取り付けられており、当該エマージェンシーの際には、図５（Ｂ）に示す様に、当該腕時計１の裏面に設けられた適宜のつまみ部４１を操作して当該物理的鍵部４０を当該腕時計１の該本体部から外部に突出させる様に構成されているものである。
【００６６】
上記した様に、本発明に於ける当該物理的鍵部４０は、当該対象機器１０に設けられたロック部材の鍵穴部に嵌合して、当該対象機器１０の特定の機能をマニュアル的に実行させる機能を有するものである。
【００６７】
一方、図６（Ａ）の具体例では、当該物理的鍵部４０は、当該腕時計１の本体内部に，適宜の位置に設けられた回転軸４２を回転中心として、旋回自在に取り付けられており、当該エマージェンシーの際には、図６（Ｂ）に示す様に、当該腕時計１の裏面に設けられた適宜の切り欠け部４３を操作して当該物理的鍵部４０を当該腕時計１の該本体部から当該回転軸４２を中心に旋回させる事によって、当該腕時計１の本体部より外部に突出させる様に構成されているものである。
【００６８】
本発明に於ける当該腕時計１に設けられる当該物理的鍵部４０は、その少なくとも一部が当該腕時計１の本体部若しくは当該腕時計１に付随する部材、例えばバンド部等と非分離状態で接合されている事が望ましい。
【００６９】
図７は、本発明に於ける当該物理的鍵部４０が当該腕時計１のバンド部５０の一部に取り付けられている例を示すものであって、より詳細には、当該腕時計１に於けるバンド部５０の三つ折式中留部５１に摺動自在に取り付けられており、例えば、適宜のつまみ部４１を操作して当該物理的鍵部４０を当該腕時計１の該三つ折式中留部５１から外部に突出させる様に構成されているものである。
【００７０】
一方、図８は、本発明に於ける当該物理的鍵部４０が当該腕時計１のバンド部５０の一部に取り付けられている他の例を示すものであって、より詳細には、当該腕時計１に於けるバンド部５０の三つ折式中留部５１の折り畳み部である蝶番部５２に起倒式に旋回自在に取り付けられており、例えば、当該物理的鍵部４０を使用する場合には、当該物理的鍵部４０を当該蝶番部５２を旋回中心として立ち上げる事によって使用可能の状態になる。
【００７１】
つまり、本発明に於ける当該物理的鍵部４０は、当該腕時計１のバンド５０の一部に設けられているものであっても良い。
【００７２】
図９は、本発明に於ける当該物理的鍵部４０が当該腕時計１のバンド部５０の一部に取り付けられている別の例を示すものであって、より詳細には、当該物理的鍵部４０は、当該腕時計１の本体部内にその自由端部５５が挿入格納されていると共に、当該物理的鍵部４０の接合端部５６は、当該腕時計１のバンド５０の端部５７で当該腕時計１の本体部との係合端部５８に接合されているものである。
【００７３】
つまり、上記具体例に於いては、当該物理的鍵部４０の接合端部５６と当該バンド部５０の端部５７は、当該バンド部５０の当該腕時計１の本体部との接合における接合機構５９として機能するものである。
【００７４】
より詳細には、当該腕時計１の本体部と当該バンド５０との取り付け係合部が図９（Ｃ）に示す様に、着脱自在に構成されており、バンド５０を外すと当該腕時計１の本体内に収納されていた当該物理的鍵部４０が外部に現れ、そのままユーザーが当該バンド５０を支持部として当該物理的鍵部４０を使用する事になる。
【００７５】
図９では、当該バンド部５０の端部５７をねじる事によって、当該物理的鍵部４０と当該腕時計１の本体部との係合が外れて、当該物理的鍵部４０を当該腕時計１の本体部から離脱させることが可能であり、又、当該物理的鍵部４０を当該本体部に収納する場合には、ねじりながら挿入する事によって当該物理的鍵部４０を当該腕時計１の本体部内に収納させることも可能である。
【００７６】
その他の具体例としては、金具の噛み合わせで腕時計１と連結する様に構成されたものであってもよい。
【００７７】
又、上記した本発明に於ける具体例に於いて、当該物理的構成からなる当該物理的鍵部４０が当該腕時計１の本体内部から外部に突出せしめられた場合には、当該腕時計１に於ける当該制御信号送受信手段５の送信機能が停止せしめられる様に構成されている事も望ましい。
【００７８】
上記した説明から理解される様に、本発明にかかる第２の態様としては、腕時計を利用した特定の対象機器に於ける所望の機能の実行に安全性を確保するためのセキュリティーシステムを提供することが可能である。
【００７９】
即ち、当該第２の態様としては、計時手段２、計時情報表示手段３、電源手段４、少なくと予め定められた制御信号を送信すると共に外部から送信されてきた確認信号を受信し得る制御信号送受信手段５とを有する腕時計１と、当該腕時計１とは別体に構成された特定の機能を発揮する対象機器１０であって、外部から所定の制御信号を受信し且つ受信した制御信号に対して確認のための制御信号（ＡＣＫ）を発信する受送信手段２５と、当該受信した所定の制御信号に基づいて当該対象機器１０に於ける当該特定機能の稼動状態若しくは非稼動状態を制御するセキュリティー制御手段１１とを有する対象機器１０とから構成されており、当該対象機器１０側の受送信手段２５が、当該腕時計１から送信された特定の制御信号の受信を認識した場合に、当該セキュリティー制御手段１１が当該対象機器１０の特定機能に対するセキュリティー状態を解除する様に構成されている事を特徴とする腕時計を使用したセキュリティー制御システムである。
【００８０】
本発明に於ける上記第２の態様では、当該腕時計１の送受信手段５から所定の制御信号を常時所定のタイミングで出力送信しておき、当該対象機器１０側の受送信手段２５に於いて、当該腕時計１からの当該制御信号を受信し、当該セキュリティー制御手段１１が当該腕時計１が該対象機器１０に近接していることを認識した後、当該セキュリティー制御手段１１が当該対象機器１０の特定機能に対するセキュリティー状態を解除する様に構成されている事が好ましい。
【００８１】
上記した本発明に於ける腕時計を利用したセキュリティー制御システムの通信手順の一例を示すならば、当該腕時計１の当該送受信手段５と当該対象機器１０の当該受送信手段２５との間で、予め定められた小ビット数の第１の制御信号と、予め定められた第１の制御信号よりも大なるビット数で構成された第２の制御信号とを双方で記憶しておき、当該腕時計１の当該送受信手段５から第１の制御信号を第１の所定のタイミングで常時出力させる第１の工程、当該対象機器側の当該受送信手段２５が、当該第１の制御信号の受信した後、当該第１の制御信号に基づいて、当該腕時計１が当該対象機器１０に対する所定の近接領域内に入ったか否かを当該セキュリティー制御手段１１が判断する第２の工程、当該対象機器１０側の当該セキュリティー制御手段１１が、当該腕時計１が当該所定の近接領域内に入ってきたと判断した場合には、当該受送信手段２５が、当該第１の制御信号と当該第２の制御信号とを合体させた第３の制御信号を当該腕時計１に対して出力送信する第３の工程、当該腕時計１側の当該送受信手段５が当該受信された第１と第２の制御信号が何れも予め記憶されているそれぞれの制御信号と一致するか否かを判断する第４の工程、当該第１と第２の制御信号の同一性が確認された場合には、当該腕時計１の当該送受信手段５から当該第１と第２の制御信号を第２のタイミングで当該対象機器１０に対して出力送信する第５の工程、当該対象機器１０側の当該受送信手段２５が、当該腕時計１４側から送信されてきた当該第１と第２の制御信号を受信し、当該受送信手段２５側の記憶手段２７に記憶されている当該第１と第２の制御信号との同一性が確認出来た場合に、当該セキュリティー制御手段１１が、当該対象機器１０の当該特定の機能に対するセキュリティー制御を解除する第６の工程、とから構成されており、更に、その後は、上記した第２のタイミングで継続的に上記第５の工程と上記第６の工程が継続的に繰り返されて、ハンドシェイクの確立を継続する第７の工程、及び当該第７の工程中に予め定められた一定の時間以上、上記の通信が途絶えた場合には、当該対象機器は、当該腕時計が当該対象機器の近接領域から離れたと判断して、セキュリティー制御装置を作動させて、当該対象機器における特定機能の実行状態を停止させ、ロック状態とする第８の工程と有しているものである。
【００８２】
上記したセキュリティー制御システムに於いて、当該第１の制御信号は、前記した具体例に於けると同様に、当該腕時計１と当該対象機器１０との間で予め定められ且つ双方の記憶手段に格納されている短い認証コードで構成されているものであり、望ましくは、Ｍ系列符号で構成されている短い認証コードである。
【００８３】
一方、当該第２の制御信号も前記した具体例に於けると同様に、当該腕時計１と当該対象機器１０との間で予め定められ且つ双方の記憶手段に格納されている例えば、ＩＤコードから構成されているものである。
【００８４】
尚、本発明に於ける上記セキュリティー制御システムに於いては、前記した第１の態様で説明した様に、当該腕時計１には、更に物理的に構成された物理的鍵部４０が設けられている事も望ましい。
【００８５】
【発明の効果】
本発明は、上述した様な構成を採用しているので、所定の対象機器に於ける所定のセキュリティー制御装置を作動させて当該対象機器における所定の機能を実現させたり或いは実行させるために、ユーザーが携帯する制御機器に、電源不足、或いは、制御信号の通信不能等のエマージェンシー事態が発生した場合でも、当該所定の対象機器の特定の機能を実行させる事が可能である鍵機能付き腕時計が容易に得られると言う作用効果を発揮するものであり、又、ユーザーが所有を忘れたり、落としたりすることが少ない腕時計を制御装置として使用した事によって、第３者の不正利用を排除して、確実にセキュリティー制御を実行しえるセキュリティー制御システムがえられる。
【図面の簡単な説明】
【図１】図１は、本発明に係る鍵機能付き腕時計の一具体例の構成及び制御対象先である対象機器の具体例を示す図である。
【図２】図２は、本発明に係る腕時計及び対象機器の内部におけるそれぞれの回路構成の概略図である。
【図３】図３は、本発明に係るセキュリティー制御システムにおける操作手順を説明すすフローチャートである。
【図４】図４は、本発明に係るセキュリティー制御システムに於いて使用される通信ススジュールの一例を示す図である。
【図５】図５は、本発明にかかる鍵機能付き腕時計の一具体例に於ける構成例を示す裏面図である。
【図６】図６は、本発明にかかる鍵機能付き腕時計の他の具体例に於ける構成例を示す裏面図である。
【図７】図７は、本発明にかかる鍵機能付き腕時計の更に他の具体例に於ける構成例を示す側面図である。
【図８】図８は、本発明にかかる鍵機能付き腕時計の別の具体例に於ける構成例を示す側面図である。
【図９】図９は、本発明にかかる鍵機能付き腕時計の更に別の具体例に於ける構成例を示す斜視図である。
【符号の説明】
１　　腕時計
２　　計時手段
３　　計時情報表示手段
４　　電源手段
５　　制御信号送受信手段
６、２６　演算制御手段
７、２７　記憶手段
８　　アンテナ部
１０　対象機器
１１　セキュリティー制御手段
１２　プッシュボタン
１４　センサー手段
１５、報知手段
２４　電源手段
２８　アンテナ部
３０　スイッチ手段
４０　物理的鍵部
４１　つまみ部
５０　バンド部
５１　三つ折れ式中留め
５２　蝶番
【図１】
2004100346.tif 000003
【図２】
2004100346.tif 000004
【図３】
2004100346.tif 000005
【図４】
2004100346.tif 000006
【図５】
2004100346.tif 000007
【図６】
2004100346.tif 000008
【図７】
2004100346.tif 000009
【図８】
2004100346.tif 000010
【図９】
2004100346.tif 000011